【手続補正書】
【提出日】平成21年3月23日(2009.3.23)
【手続補正１】
【補正対象書類名】特許請求の範囲
【補正対象項目名】全文
【補正方法】変更
【補正の内容】
【特許請求の範囲】
【請求項１】
動画像に対する画像処理を実行する画像処理装置であり、
動画像を構成するフレーム画像を区分した分割領域単位で出力画像のフレームレートに応じた被写体の移動速度を算出する移動速度演算部と、
前記分割領域単位の移動速度情報を入力し、移動速度に対応する最適な撮像シャッタ速度として、出力画像の画像劣化が低減される最適シャッタ速度を前記分割領域単位で取得し、取得した最適シャッタ速度に対応する画像を前記分割領域単位で生成し、生成した分割領域画像を結合したフレーム画像を出力する画像生成処理部と、
を有することを特徴とする画像処理装置。
【請求項２】
前記移動速度演算部は、
入力画像のフレームから選択された探索用フレームと参照用フレームを適用したブロックマッチング処理により分割領域単位で移動速度を算出する処理を実行する構成であることを特徴とする請求項１に記載の画像処理装置。
【請求項３】
前記移動速度演算部は、
入力画像のフレームから選択された探索用フレームと参照用フレームを適用したブロックマッチング処理により分割領域単位で動きベクトルを求めるブロックマッチング部と、
前記ブロックマッチング部において算出した動きベクトル情報に基づいて、出力画像のフレームレートに応じた被写体の移動速度を算出する動きベクトル規格化部とを有する構成であることを特徴とする請求項１に記載の画像処理装置。
【請求項４】
前記移動速度演算部は、
前記探索用フレームを、出力画像のフレームレートに応じたフレーム間隔で入力画像のフレームから選択する処理を実行する構成であることを特徴とする請求項２または３に記載の画像処理装置。
【請求項５】
前記画像生成処理部は、
移動速度と、出力画像の画像劣化が低減される撮像シャッタ速度とを対応付けたテーブルを保持し、該テーブルを参照して移動速度に対応する最適シャッタ速度を前記分割領域単位で取得する構成であることを特徴とする請求項１に記載の画像処理装置。
【請求項６】
前記テーブルは、
移動速度区間情報と、最適シャッタ速度情報とを対応付けたテーブルであることを特徴とする請求項５に記載の画像処理装置。
【請求項７】
前記画像生成処理部は、
移動速度と、出力画像の画像劣化が低減される最適シャッタ速度との対応関係の異なる複数の異なるテーブルを有し、ユーザ選択情報に基づいて、適用するテーブルを決定する構成であることを特徴とする請求項５に記載の画像処理装置。
【請求項８】
前記画像生成処理部は、
前記分割領域単位で、移動速度に対応する最適シャッタ速度を算出する最適シャッタ速度算出部と、
前記最適シャッタ速度算出部の算出した最適シャッタ速度に対応する画像を前記分割領域単位で生成するフィルタリング処理部とを有する構成であることを特徴とする請求項１に記載の画像処理装置。
【請求項９】
前記フィルタリング処理部は、
入力画像のフレームから選択されたフレームに基づいて、前記最適シャッタ速度算出部の算出した撮像シャッタ速度に対応する画像を前記分割領域単位で生成する処理を実行する構成であることを特徴とする請求項８に記載の画像処理装置。
【請求項１０】
前記フィルタリング処理部は、
前記最適シャッタ速度算出部の算出した最適シャッタ速度に応じた重み係数を設定して、入力画像の複数フレームの画素値の加重平均を実行して、出力画像フレームの画素値を決定する処理を実行する構成であることを特徴とする請求項８に記載の画像処理装置。
【請求項１１】
前記画像生成処理部は、
入力画像のフレームに含まれない中間フレームを生成する中間フレーム生成部を有し、前記最適シャッタ速度算出部の算出した最適シャッタ速度に対応する画像を、前記中間フレームを適用して分割領域単位で生成する処理を実行する構成であることを特徴とする請求項１に記載の画像処理装置。
【請求項１２】
前記画像処理装置は、さらに、
前記分割領域単位で空間コントラストの大きさを検出する空間特徴量検出部を有し、
前記画像生成処理部は、
空間コントラストが予め定めた閾値未満の分割領域については、前記移動速度に対応して算出される最適シャッタ速度より高いシャッタ速度を最適シャッタ速度として設定する処理を実行する構成であることを特徴とする請求項１に記載の画像処理装置。
【請求項１３】
前記画像処理装置は、さらに、
前記分割領域単位で空間コントラストの大きさを検出する空間特徴量検出部を有し、
前記画像生成処理部は、
空間コントラストが予め定めた閾値未満の分割領域については、前記移動速度に対応して算出される最適シャッタ速度を算出することなく、入力画像の持つフレームレートに対応するシャッタ速度を最適シャッタ速度として設定する処理を実行する構成であることを特徴とする請求項１に記載の画像処理装置。
【請求項１４】
前記出力画像の画像劣化は、ジャーキネスおよびブラーによる画像劣化であり、
前記画像生成処理部は、
ジャーキネスおよびブラーによる画像劣化が低減される最適シャッタ速度を前記分割領域単位で取得し、取得した最適シャッタ速度に対応する画像を前記分割領域単位で生成する処理を実行する構成であることを特徴とする請求項１から請求項１３いずれかに記載の画像処理装置。
【請求項１５】
画像処理装置において、動画像に対する画像処理を実行する画像処理方法であり、
移動速度演算部において、動画像を構成するフレーム画像を区分した分割領域単位で出力画像のフレームレートに応じた被写体の移動速度を算出する移動速度演算ステップと、
画像生成処理部において、前記分割領域単位の移動速度情報を入力し、移動速度に対応する最適な撮像シャッタ速度として、出力画像の画像劣化が低減される最適シャッタ速度を前記分割領域単位で取得し、取得した最適シャッタ速度に対応する画像を前記分割領域単位で生成し、生成した分割領域画像を結合したフレーム画像を出力する画像生成処理ステップと、
を有することを特徴とする画像処理方法。
【請求項１６】
前記移動速度演算ステップは、
入力画像のフレームから選択された探索用フレームと参照用フレームを適用したブロックマッチング処理により分割領域単位で移動速度を算出する処理を実行することを特徴とする請求項１５に記載の画像処理方法。
【請求項１７】
前記移動速度演算ステップは、
入力画像のフレームから選択された探索用フレームと参照用フレームを適用したブロックマッチング処理により分割領域単位で動きベクトルを求めるブロックマッチング処理ステップ、
前記ブロックマッチング処理ステップにおいて算出した動きベクトル情報に基づいて、出力画像のフレームレートに応じた被写体の移動速度を算出する動きベクトル規格化ステップとを有することを特徴とする請求項１５に記載の画像処理方法。
【請求項１８】
前記移動速度演算ステップは、
前記探索用フレームを、出力画像のフレームレートに応じたフレーム間隔で入力画像のフレームから選択する処理を実行することを特徴とする請求項１６または１７に記載の画像処理方法。
【請求項１９】
前記画像生成処理ステップは、
移動速度と、出力画像の画像劣化が低減される撮像シャッタ速度とを対応付けたテーブルを参照して移動速度に対応する最適シャッタ速度を前記分割領域単位で取得するステップを含むことを特徴とする請求項１５に記載の画像処理方法。
【請求項２０】
画像処理装置において、動画像に対する画像処理を実行させるコンピュータ・プログラムであり、
移動速度演算部において、動画像を構成するフレーム画像を区分した分割領域単位で出力画像のフレームレートに応じた被写体の移動速度を算出させる移動速度演算ステップと、
画像生成処理部において、前記分割領域単位の移動速度情報を入力し、移動速度に対応する最適な撮像シャッタ速度として、出力画像の画像劣化が低減される最適シャッタ速度を前記分割領域単位で取得し、取得した最適シャッタ速度に対応する画像を前記分割領域単位で生成し、生成した分割領域画像を結合したフレーム画像を出力させる画像生成処理ステップと、
を実行させることを特徴とするコンピュータ・プログラム。
【手続補正２】
【補正対象書類名】明細書
【補正対象項目名】００４７
【補正方法】削除
【補正の内容】
【手続補正３】
【補正対象書類名】明細書
【補正対象項目名】００４８
【補正方法】削除
【補正の内容】
【手続補正４】
【補正対象書類名】明細書
【補正対象項目名】００４９
【補正方法】削除
【補正の内容】
【手続補正５】
【補正対象書類名】明細書
【補正対象項目名】００５０
【補正方法】削除
【補正の内容】
【手続補正６】
【補正対象書類名】明細書
【補正対象項目名】００５１
【補正方法】削除
【補正の内容】
【手続補正７】
【補正対象書類名】明細書
【補正対象項目名】００５２
【補正方法】削除
【補正の内容】
【手続補正８】
【補正対象書類名】明細書
【補正対象項目名】００５３
【補正方法】削除
【補正の内容】
【手続補正９】
【補正対象書類名】明細書
【補正対象項目名】００５４
【補正方法】削除
【補正の内容】
【手続補正１０】
【補正対象書類名】明細書
【補正対象項目名】００５５
【補正方法】削除
【補正の内容】